(57)【要約】接続デバイス（１０）は、第１の細長い物品（１２）を接続デバイス（１０）に固定するための第１の固定装置（１６）を備える。第１の細長い物品（１２）は、第1の向きで固定される。接続デバイス（１０）は、第２の細長い物品（１４）を接続デバイス（１０）に固定するための第２の固定装置（１８）を備える。第２の細長い物品（１４）は、第２の向きで固定される。第２の向きは第１の向きに対して横断方向である。【選択図】図１
2021534352.tif 000002
【特許請求の範囲】
【請求項１】
第１の細長い物品を前記第１の細長い物品の第１の向きで接続デバイスに固定するための第１の固定装置と、
第２の細長い物品を前記第２の細長い物品の第２の向きで前記接続デバイスに固定するための第２の固定装置とを備え、
前記第２の向きは前記第１の向きに対して横断方向である、接続デバイス。
【請求項２】
前記第１および第２の固定装置を担持するための本体を備え、
前記本体は、前方領域および後方領域を有し、
前記接続デバイスは、前記本体の前記前方領域から伸長するノーズ構造を含む、請求項１に記載の接続デバイス。
【請求項３】
前記ノーズ構造は、一対の実質的に平行な突出部を備え、前記突出部間の前記ノーズ構造によって間隙が規定される、請求項２に記載の接続デバイス。
【請求項４】
前記第１の固定装置は第１のクランプ装置を備え、
前記第２の固定装置は第２のクランプ装置を備える、請求項２または３に記載の接続デバイス。
【請求項５】
前記第１のクランプ装置は、前記第１の細長い物品のための通路を備え、前記通路は、前記本体によって規定され、
前記第１のクランプ装置は、クランプ部材および付勢部材を含み、前記クランプ部材は、前記第１の細長い物品を前記通路内にクランプするように配置され、前記付勢部材は、前記クランプ部材を前記通路に向かって付勢して、前記第１の細長い物品とクランプ係合するように配置される、請求項４に記載の接続デバイス。
【請求項６】
前記本体は、前記付勢部材が配置される内部空間を規定し、前記内部空間は、前記付勢部材が前記クランプ部材を前記通路に向かって付勢することを可能にするように前記通路と連通する、請求項５に記載の接続デバイス。
【請求項７】
前記第２の固定装置は、前記第２の細長い物品を収容するための収容装置を備え、前記収容装置は、前記本体上に設けられる、請求項２から６のいずれか一項に記載の接続デバイス。
【請求項８】
前記付勢部材は、前記クランプ部材を前記収容装置から離れる方向に付勢する、請求項７に記載の接続デバイス。
【請求項９】
前記収容装置は、前記ノーズ構造から伸長する、請求項７または８に記載の接続デバイス。
【請求項１０】
前記第２の固定装置は、前記第２の細長い物品の周りに伸長するように構成されたフック構造を備える、請求項７または８に記載の接続デバイス。
【請求項１１】
前記フック構造は、並んで配置された一対のフック部材を備え、前記フック部材のそれぞれは、前記本体の後端領域に面する開口を有する、請求項１０に記載の接続デバイス。
【請求項１２】
前記フック構造は、単一のフック部材を備え、前記フック部材は、前記本体の後端領域に面する開口を有する、請求項１０に記載の接続デバイス。
【請求項１３】
前記第２の固定装置は、可動部材を備え、前記可動部材は、前記第２の細長い物品をクランプするためのクランプ部分を含み、前記可動部材は、前記可動部材の移動をもたらし、それによって、前記第２の細長い物品とのクランプ係合への前記可動部材の移動を可能にする協働部分をさらに含む、請求項２から１２のいずれか一項に記載の接続デバイス。
【請求項１４】
前記可動部材は、前記第２の細長い物品を前記収容装置に対してクランプし、それによって、前記第２の細長い物品を前記第２の固定装置に固定するように移動されることができる、請求項１３に記載の接続デバイス。
【請求項１５】
前記本体は、前記可動部材の前記協働部分と協働し、それによって、前記可動部材の前述の移動をもたらす協働構造を含む、請求項１３または１４に記載の接続デバイス。
【請求項１６】
前記第２の固定装置は、前記本体によって保持される別個の締結部材を含み、前記締結部材は、前記協働部分と協働して前述の移動をもたらすための構造を備える、請求項１３または１４に記載の接続デバイス。
【請求項１７】
請求項１に記載の接続デバイスを使用する方法であって、
前記第１の固定装置によって前記第１の細長い物品を前記接続デバイスに固定することと、
前記第２の固定装置によって前記第２の細長い物品を前記接続デバイスに固定することとを備える、方法。
【請求項１８】
前記第１の固定装置は第１のクランプ装置を備え、
前記第２の固定装置は第２のクランプ装置を備え、
前記第１の細長い物品を前記第１の固定装置に固定するステップは、前記第１の細長い物品を前記第１のクランプ装置によってクランプすることを備え、
前記第２の細長い物品を前記第２の固定装置に固定するステップは、前記第２の細長い物品を前記第２のクランプ装置によってクランプすることを備える、請求項１７に記載の方法。
【請求項１９】
前記第１のクランプ装置は、前記第１の細長い物品のための通路を備え、前記通路は、本体によって規定され、
前記第１のクランプ装置は、クランプ部材および付勢部材を含み、
前記第１の細長い物品を固定するステップは、前記第1の細長い物品を前記通路内に配置することを備える、請求項１８に記載の方法。
【請求項２０】
前記第１の細長い物品を前記第１の固定装置に固定するステップは、前記第１の細長い物品を前記通路を通して移動させて前記クランプ部材を前記通路から離れるように移動させることを備え、その後、前記第１の細長い物品を反対方向に移動させて、前記クランプ部材に前記第１の細長い物品をクランプさせることを備える、請求項１９に記載の方法。
【請求項２１】
前記第１のクランプ装置は、前記第１の細長い物品を係合するためのクランプ面を含み、
前記第１のクランプ装置は、前記クランプ部材に反力を提供するための反作用面をさらに含み、
前記第１の細長い物品をクランプするステップは、前記第１の細長い物品および前記クランプ部材を前記クランプ面と前記反作用面との間に配置することを備える、請求項２０に記載の方法。
【請求項２２】
前記第１の細長い物品を前記第１の固定装置に固定するステップは、前記第２の細長い物品が前記第２の固定装置に固定されるときに、前記第１の細長い物品を張力下で保持することを備える、請求項１８から２１のいずれか一項に記載の方法。
【請求項２３】
前記第１および第２の固定装置を担持するための本体を備え、
前記第２のクランプ装置は、前記第２の細長い物品を収容するための収容装置を備え、前記収容装置は前記本体上に設けられ、
前記第２の細長い物品を前記第２の固定装置に固定するステップは、前記第２の細長い物品を前記収容装置内に配置することを備える、請求項１７から２２のいずれか一項に記載の方法。
【請求項２４】
前記収容装置は、フック構造を備え、前記フック構造は、前記第２の細長い物品の周りに伸長するように構成され、
前記第２の細長い物品を前記第２の固定装置に固定するステップは、前記第２の細長い物品を前記フック構造に配置することを備える、請求項２３に記載の方法。
【請求項２５】
前記第２の固定装置は可動部材を備え、前記可動部材は前記第２の細長い物品をクランプするためのクランプ部分を含み、
前記第２の細長い物品を前記第２の固定装置に固定するステップは、前記可動部材を移動させて前記第２の細長い物品を前記クランプ部分でクランプすることを備える、請求項２４に記載の方法。
【発明の詳細な説明】
【技術分野】
【０００１】
本発明は、接続デバイスに関する。排他的ではないが、より詳細には、本発明は、可撓性の細長い物品を互いに横断方向にまたは相互関係で接続するための接続デバイスに関する。本発明はまた、接続デバイスを使用する方法に関する。
【背景技術】
【０００２】
様々な農産物、例えばブドウのような果樹の栽培は、樹木を列状に配置し、その周りにワイヤを配置することを含む。ワイヤのうちのいくつかは、木を支持するために列の周りまたは間に配置される一方で、他のワイヤは、ネットカバーを支持するために列の上に配置される。ワイヤまたはケーブルのうちのいくつかは、互いに横断方向に、または横切って伸長する。これらのワイヤまたはケーブルを接合することが必要であることが多い。このような接合は、短い長さのワイヤを２本のクロスワイヤの周りにねじることによって行うことができる。
【発明の概要】
【０００３】
本発明の一般的な態様によれば、第１の細長い物品を固定するための第１の固定装置と、第２の細長い物品を接続デバイスに固定するための第２の固定装置とを備える接続デバイスが提供される。
【０００４】
本発明の一態様によれば、第１の細長い物品を第１の細長い物品の第１の向きで接続デバイスに固定するための第１の固定装置と、第２の細長い物品を第２の細長い物品の第２の向きで接続デバイスに固定するための第２の固定装置とを備える接続デバイスが提供され、第２の向きは第１の向きに対して横断方向である。
【０００５】
本発明の別の態様によれば、直前の段落で説明したような接続デバイスを使用する方法が提供され、方法は、第１の固定装置によって第１の細長い物品を接続デバイスに固定することと、第２の固定装置によって第２の細長い物品を接続デバイスに固定することとを備える。
【０００６】
第２の固定装置は、第２の細長い物品の周りに伸長するように構成されてもよいフック構造を備えてもよい。
【０００７】
本発明の別の態様によれば、第１の細長い物品を固定するための第１の固定装置と、第２の細長い物品を固定するための第２の固定装置とを備える接続デバイスが提供され、第２の固定装置は、第２の細長い物品の周りに伸長するように構成されたフック構造を備える。
【０００８】
本発明の別の態様によれば、直前の段落で説明したような接続デバイスを使用する方法が提供され、方法は、第１の固定装置によって第１の細長い物品を接続デバイスに固定することと、第２の細長い物品をフック構造内に配置することと、第２の固定装置によって第２の細長い物品を接続デバイスに固定することとを備える。
【０００９】
本明細書で使用する「横断方向」という用語は、１つの特徴が別の特徴にわたって伸長すること、または別の特徴に対して横切って伸長することを指すように意図されている。本明細書で説明する実施形態では、第１の細長い物品は、第２の細長い物品に対して横切って伸長する。例えば、第１の細長い物品は、第２の細長い物品に対して９０°で伸長する。
【００１０】
第１および第２の細長い物品は、ワイヤ、ケーブル、ワイヤロープ、テープまたはこれらに類するもののような、第１および第２の可撓性の細長い物品であってもよい。
【００１１】
一実施形態では、第１および第２の細長い物品のうちの少なくとも１つは、鉄筋のような剛性の細長い物品であってもよい。望ましくは、第２の細長い物品は、剛性の細長い物品である。
【００１２】
第１の固定装置は、第１のクランプ装置を備えていてもよい。第２の固定装置は、第２のクランプ装置を備えていてもよい。
【００１３】
第１の細長い物品を第１の固定装置に固定するステップは、第１のクランプ装置によって第１の細長い物品をクランプすることを備えていてもよい。
【００１４】
第２の細長い物品を第２の固定装置に固定するステップは、第２のクランプ装置によって第２の細長い物品をクランプすることを備えていてもよい。
【００１５】
接続デバイスは、第１および第２の固定装置を担持してもよい本体を備えていてもよい。本体は、第１の固定装置を収容するハウジングを含むことができる。
本体は、前方領域および後方領域を有することができる。
【００１６】
ノーズ構造は、本体から伸長してもよい。ノーズ構造は、本体の前方領域から伸長することができる。ノーズ構造は、一対の突出部を備えることができる。突出部は互いに平行であってもよい。間隙は、ノーズ構造によって規定されてもよい。間隙は、突出部間に規定されてもよい。
【００１７】
間隙は、第１の細長い物品の端部領域を収容してもよい。第１の細長い物品は、間隙の中で屈曲してもよい。本明細書で説明される実施形態では、細長い物品の端部領域の間隙内への屈曲は、第１の細長い物品が、設置されるときまたは使用中に網に引っ掛かるのを防止するのに役立つという利点を提供する。
【００１８】
ノーズ構造は、張力ツールと相互作用して、張力ツールが第１のクランプ装置内で第１の細長い物品に張力をかけることを可能にするように構成されてもよい。ノーズ構造は、張力ツールと相互作用するための狭められた前端部分を含むことができる。
【００１９】
第１のクランプ装置は、第１の細長い物品のための通路を備えることができる。通路は、本体によって規定されてもよい。通路はハウジング内にあってもよい。第１の細長い物品は、通路を通って伸長することができる。
【００２０】
第１の細長い物品を固定するステップは、第１の細長い物品を通路内に配置することを備えていてもよい。
【００２１】
第１のクランプ装置は、通路内で第１の細長い物品をクランプするためのクランプ部材を含むことができる。第１のクランプ装置は、通路に向かってクランプ部材を付勢するための付勢部材を含んでいてもよい。
【００２２】
本体は、付勢部材が配置される内部空間を規定してもよい。内部空間は通路と連通して、付勢部材がクランプ部材を通路に向かって付勢することを可能にしてもよい。
【００２３】
付勢部材は、通路と第２の固定装置との間に配置されてもよい。代替的に、通路は、付勢部材と第２の固定装置との間に配置されてもよい。
【００２４】
付勢部材は、クランプ部材を本体の前方領域から離れるように付勢することができる。付勢部材は、クランプ部材をノーズ構造から離れるように付勢することができる。
【００２５】
付勢部材は、コイルばねのようなばねを備えてもよい。付勢部材は、圧縮ばねを備えてもよい。圧縮ばねは、内方に先細になった端部を有することができる。圧縮ばねは、内方に先細になった対向端を有することができる。圧縮ばねのその端部または各端部は、円錐台の構成を有してもよい。
【００２６】
第１の細長い物品を第１の固定装置に固定するステップは、第１の細長い物品を通路を通して移動させて、クランプ部材を通路から離れるように移動させることを備えていてもよい。
【００２７】
第１の細長い物品を第１の固定配置方法に固定するステップは、その後、第１の細長い物品を反対方向に移動させて、クランプ部材に第１の細長い物品をクランプさせることを備えていてもよい。
【００２８】
第１のクランプ装置は、第１の細長い物品を係合するためのクランプ面を含むことができる。クランプ面は、本体の内面であってもよい。クランプ部材は、第１の細長い物品をクランプ面に対してクランプすることができる。
【００２９】
第１のクランプ装置は、クランプ部材が第１の細長い物品をクランプ面に対してクランプするときに、クランプ部材に反力を提供するための反作用面をさらに含むことができる。
【００３０】
反作用面は、本体の内面であってもよい。反作用面は、クランプ面の反対側にあってもよい。反作用面は、内部空間を規定する面であってもよい。
【００３１】
第１の細長い物品をクランプするステップは、第１の細長い物品およびクランプ部材をクランプ面と反作用面との間に配置することを備えることができる。したがって、一実施形態では、クランプ力は、クランプ面およびクランプ部材から、ならびに反作用面から第１の細長い物品に加えられる。
【００３２】
クランプ面および反作用面は、互いに向かって先細になっていてもよい。クランプ面および反作用面は、収容装置から離れる方向に互いに向かって先細になっていてもよい。付勢部材は、クランプ部材を収容装置から離れる方向に付勢することができる。
【００３３】
本明細書で説明されている実施形態の第１の固定装置の特徴は、接続デバイスが使用されているときに、第１の細長い物品にかかる張力が、クランプ部材を引っ張って第１の細長い物品とより大きくクランプ係合させる傾向を有し、それによって、第１の細長い物品が第１の固定装置から不注意に解放されることを防止するという利点を提供する。
【００３４】
クランプ部材は、くさび、ローラまたはボールであってもよい。ローラは、実質的に円筒形のローラであってもよい。
【００３５】
第２のクランプ装置は、第２の細長い物品を収容するための収容装置を備えることができる。一実施形態では、収容装置は、本体上に提供されてもよい。
収容装置は、本体に一体的に取り付けられてもよい。
【００３６】
第２の細長い物品を第２の固定装置に固定するステップは、第２の細長い物品を収容装置内に配置することを備えていてもよい。
【００３７】
収容装置は、第２の細長い物品の周囲に伸長するように構成されてもよい、フック構造を備えてもよい。第２の細長い物品を第２の固定装置に固定するステップは、第２の細長い物品をフック構造内に配置することを備えていてもよい。
【００３８】
収容装置は、本体の前方領域に設けられてもよい。収容装置は、ノーズ構造から伸長してもよい。
【００３９】
フック構造は、本体にわたって伸長してもよい。フック構造は、並んで配置された一対のフック部材を備えることができる。各フック部材は、突出部のそれぞれ１つから伸長することができる。フック部材のそれぞれは、本体に対して同じ方向に面する開口を有することができる。各フック部材の開口は、本体の後方領域に面してもよい。
【００４０】
ウェブ部分は、フック部材間に伸長してもよい。したがって、フック部材は、ウェブ部分によって互いに接合される。代替的に、フック部材は、互いに並んで配置されてもよく、互いに隣接して連続的に伸長してもよい。代替的に、フック構造は、両方の突出部にわたって伸長する単一のフック部材を備えてもよい。単一のフック部材の開口は、本体の後方領域に面してもよい。
【００４１】
第２の細長い物品を第２の固定装置に固定するステップは、第２の細長い物品をフック部材にわたって伸長するように配置することを備えることができる。
【００４２】
代替的に、フック構造は、本体にわたって伸長することができる単一のフック部材を含むことができる。
【００４３】
第２の固定装置は、可動部材を備えていてよい。第２のクランプ装置は、可動部材を含むことができる。可動部材は、第２の細長い物品をクランプするためのクランプ部分を含むことができる。
【００４４】
第２の細長い物品を第２の固定装置に固定するステップは、可動部材を移動させて第２の細長い物品をクランプ部分でクランプすることを備えることができる。
【００４５】
第１の細長い物品を第１の固定装置に固定するステップは、第２の細長い物品が第２の固定装置に固定されるときに、第１の細長い物品を張力下で保持することを備えることができる。第１の細長い物品を第１の固定装置に固定するステップは、第２の細長い物品が可動部材によってフック構造にクランプされるときに、第１の細長い物品を張力下で保持することを備えることができる。第２の細長い物品は、異なる幅または直径を有する複数の第２の細長い物品から選択されてもよい。
【００４６】
可動部材は、可動部材の移動をもたらし、それによって、第２の細長い物品のクランプをもたらす協働部分を含むことができる。協働部分は、可動部材が移動して第２の細長い物品とクランプ係合することを可能にしてもよい。
【００４７】
本体は、可動部材の協働部分と協働し、それによって、可動部材の前述の移動をもたらす協働構造を含むことができる。第２のクランプ装置は、可動部材を保持するために本体上にホルダを含むことができる。ホルダは、協働構造を含むことができる。
【００４８】
可動部材は、クランプ部分を含むことができる。協働部分は、ねじ切り部分を備えていてよい。本体上の構造は、対応するねじ山であってもよい。ねじ切り部分は、本体上の対応するねじ山と協働してもよい。可動部材はボルトを備えてもよい。
【００４９】
代替的に、第２の固定装置は、本体によって保持される別個の締結部材を含んでもよい。締結部材は、協働部分と協働して前述の移動をもたらす協働構造を備えることができる。ホルダは、締結部材を保持してもよい。協働構造は、対応するねじ山を備えることができる。
【００５０】
付勢部材は、それを通じて駆動部材を収容してよい。これにより、可動部材が締結部材に収容されるときに、可動部材がホルダに保持される。締結部材は、係留締結部材であってもよい。締結部材は、ナットを備えていてもよい。
【００５１】
第２の細長い物品を第２の固定装置に固定するステップは、第２の細長い物品をクランプ部分でクランプするために、可動部材を協働部分を通してねじ込むことを備えることができる。
【００５２】
可動部材は、近位端領域を有することができる。近位端領域は、可動部材の駆動を可能にするための駆動構造を備えることができる。駆動構造は、スクリュードライバ、スパナ、または六角キーのような駆動ツールと協働するように構成されてもよい可動部材のヘッドを備えてもよい。
【００５３】
可動部材は、遠位端領域を有することができる。遠位端領域は、クランプ部分であってもよい。
【００５４】
可動部材は、第２の細長い物品を第２の固定装置に固定するために、第２の細長い物品を収容装置に対してクランプすることができる。したがって、可動部材は、第２の細長い物品を本体にクランプすることができる。
【００５５】
第２の細長い物品を第２の固定装置に固定するステップは、可動部材の遠位端が第２の細長い物品をクランプするように、可動部材を協働部分にねじ込むことを備えることができる。
【００５６】
本発明の少なくとも１つの実施形態を、添付の図面を参照して、単なる一例として、説明する。
【図面の簡単な説明】
【００５７】
【図１】図１は、接続デバイスの上からの斜視図である。
【図２】図２は、第１および第２の細長い物品が固定された接続デバイスの上からの斜視図である。
【図３】図３は、第１および第２の細長い物品が固定された接続デバイスの下からの斜視図である。
【図４】図４は、第１および第２の細長い物品が固定された接続デバイスの側面図である。
【図５】図５は、図４中の線Ｖ−Ｖに沿った図である。
【図６】図６は、図５中の線ＶＩ−ＶＩに沿った接続デバイスの断面図である。
【図７】図７は、別の接続デバイスの上からの斜視図である。
【図８】図８は、第１および第２の細長い物品が固定された、図７に示す接続デバイスの上からの斜視図である。
【図９】図９は、第１および第２の細長い物品が固定された、図７に示す接続デバイスの下からの斜視図である。
【図１０】図１０は、第１および第２の細長い物品が固定された、第７図に示す接続デバイスの側面図である。
【図１１】図１１は、図１０中の線ＸＩ−ＸＩに沿った図である。
【図１２】図１２は、図１１中の線ＸＩＩ−ＸＩＩに沿った接続デバイスの断面図である。
【発明を実施するための形態】
【００５８】
図面は、第１のワイヤ、ケーブル、ワイヤロープ、テープまたはこれらに類するものの形態の可撓性の第１の細長い物品１２を第２の細長い物品１４に対して横断方向に接続するための接続デバイス１０を示す。第２の細長い物品１４は、第２のワイヤ、ケーブル、ワイヤロープ、テープまたはこれらに類するもの形態の可撓性の細長い物品であってもよい。
【００５９】
代替的に、第２の細長い物品１４は、鉄筋のような剛性の細長い物品であってもよい。
【００６０】
接続デバイス１０は、農業、特に果樹およびブドウの栽培に使用するのに適している。しかしながら、接続デバイス１０は任意の産業で使用できることが理解されるであろう。
【００６１】
例えば、木またはつるの上に網を引く必要がある状況では、可撓性の第１の細長い物品１２は、木またはつるの列の間に、または列に沿って木またはつるの頂部の上に伸長する。
【００６２】
第１の細長い物品１２は、つるまたは木が成長する畑の周りに伸長する第２の細長い物品１４に接合される。ネットは、第１および可撓性の第２の細長い物品１２、１４によって支持される。
【００６３】
接続デバイス１０は、第１のクランプ装置１６の形態の第１の固定装置を備える。第１のクランプ装置１６は、可撓性の第１の細長い物品１２をクランプする。接続デバイス１０は、第２のクランプ装置１８の形態の第２の固定装置をさらに含む。第２のクランプ装置１８は、可撓性の第２の細長い物品１４をクランプする。
【００６４】
接続デバイス１０は、第１のクランプ装置１６が収容されるハウジングの形態の本体２０を備える。本体２０は、前方領域２０Ａと後方領域２０Ｂとを有する。
【００６５】
図６を参照すると、第１のクランプ装置１６は、くさび、ローラ、またはボールの形態のクランプ部材２２を備える。第１のクランプ装置１６は、圧縮ばねの形態の付勢部材２４をさらに含む。所望される場合、圧縮ばねは、それぞれが円錐台形の構成を有する、内向きにテーパ状の対向端を有してもよい。
【００６６】
本体２０は、付勢部材２４が配置される内部空間２６を規定する。
【００６７】
本体２０はまた、第１の細長い物品１２のための通路２８を規定する。通路２８は、本体２０の対向端に開口２８Ａおよび２８Ｂを有し、第１の細長い物品１２が開口２８Ａ、２８Ｂを介して本体２０に通されることを可能にするように構成される。付勢部材２４がクランプ部材２２を通路２８に向けて付勢して第１の細長い物品１２に係合し、それによって第１の細長い物品１２をクランプするように、空間２６が本体２０内に規定される。
【００６８】
通路２８は、本体２０によって提供されるクランプ面３０を有する。第１の細長い物品１２は、クランプ面３０と係合して、クランプ面３０に沿って通路２８を通って伸長する。
【００６９】
図６に示すように、付勢部材２４は、通路２８と第２のクランプ装置１８との間に配置される。付勢部材２４は、本体２０の前方領域２０Ａから本体２０の後方領域２０Ｂのクランプ部材２２まで伸長する。
【００７０】
本体２０はさらに、クランプ面３０の反対側に反作用面３２を提供する。反作用面３２は、内部空間２６を規定する面であり、クランプ面３０に対して斜めに伸長している。付勢部材２４は、クランプ部材２２を反作用面３２に沿って付勢する。
【００７１】
反作用面３２とクランプ面３０との間の隙間は、付勢部材２４がクランプ部材２２を付勢する方向に狭くなる。第１の細長い物品１２は、クランプ面３０と反作用面３２との間でクランプ部材２２によってクランプされる。
【００７２】
クランプ部材２２が第１の細長い物品１２と係合するように付勢されるとき、図６の矢印Ａによって示される第１の方向への細長い物品の移動は、クランプ部材２２をクランプ面３０と反作用面３２との間の狭い間隙内に引き込み、それによってクランプ部材２２を第１の細長い物品１２とより緊密に係合するように引く。
【００７３】
本体２０の前方領域２０Ａからは、一対の突出部３３の形態のノーズ構造が伸長している。突出部３３は、互いに平行であり、張力ツールと協働して張力ツールが第１のクランプ装置１６内で第１の細長い物品１２に張力をかけることができるようにするための狭い前端部分３３Ａを含む。
【００７４】
第２のクランプ装置１８は、第２の細長い物品１４を収容するためのフック構造３４の形態の収容装置を含む。フック構造３４は、並んで配置された一対のフック部材３６を備える。各フック部材３６は、本体２０の前方領域２０Ａに設けられ、突出部３３のそれぞれから伸長する。
【００７５】
両方のフック部材３６は、本体２０に対して同じ方向に、すなわち本体２０の後方領域２０Ｂに向かって面する。ウェブ部分３７は、フック部材３６間に伸長し、フック部材３６を互いに接合する。
【００７６】
第２のクランプ装置１８は、ボルトの形態である、可動部材３８をさらに含む。可動部材３８は、六角キー（図示せず）の形態のドライバと協働する六角凹部の形態の駆動構造４４を備える、ヘッド４２を備える近位端領域４０を有する。
【００７７】
ドライバは、スクリュードライバまたはスパナのような、技術的に知られている他の何らかの適切なドライバであってもよく、ヘッドは、当業者に知られている方法で適切に構成されてもよい。
【００７８】
可動部材３８は、ねじ切りシャフト４５をさらに含む。第２のクランプ装置１８は、可動部材３８を保持するホルダ４６を含む。ホルダ４６は、可動部材３８のシャフト４５上のねじ山に対応するねじ山を有し、それによって、可動部材３８がフック構造３４に向かう方向のホルダ４６内にねじ込まれることを可能にする。
【００７９】
図面に示されるように、フック部材３６のそれぞれは、可動部材３８に面する間隙４８を規定する。第２の細長い物品１４は、間隙４８を介してフック部材３６によって収容される。
【００８０】
可動部材３８は、第２の細長い物品１４を係合するための遠位端領域５０をさらに含む。遠位端領域５０は、可動部材３８のクランプ部分を構成し、可動部材３８がホルダ４６にねじ込まれるとき、第２の細長い物品１４をフック構造３４に対してクランプする。
【００８１】
第２の細長い物品１４が第２のクランプ装置１８によってクランプされるときに、第１の細長い物品１２にかかる張力が、第１の細長い物品１２を第１のクランプ装置１６から不注意に解放させないことが望ましい。このような不用意な解放を防止するために、クランプ面３０および反作用面３２は、フック構造３４から離れる方向に互いに向かって先細になっている。さらに、付勢部材２４は、クランプ部材２２をフック構造３４から離れる方向に付勢する。
【００８２】
使用時には、第１の細長い物品１２はまず、以下のように接続デバイス１０に固定される。第１の細長い物品１２は、図６の矢印Ｂによって示される方向に通路２８に通される。
【００８３】
第１の細長い物品１２は、クランプ部材２２を係合し、矢印Ｃによって示される方向に反作用面３２に沿って付勢部材２４の付勢に対してクランプ部材２２を押す。これは、クランプ部材２２を第１の細長い物品１２の通路から移動させ、第１の細長い物品１２は、所望の長さが通路２８を通るまで、通路２８内に通されることができる。
【００８４】
次いで、第１の細長い物品１２は、図６の矢印Ａによって示される方向に引っ張られる。これは、反作用面３２に沿って矢印Ｃで示す方向とは反対の方向にクランプ部材２２を引っ張り、これにより、クランプ面３０と反作用面３２との間の狭い間隙内にクランプ部材２２を引き込む。結果として、第１の細長い物品１２は、クランプ部材２２によってクランプ面３０に対してクランプされ、第２の細長い物品１４が可動部材３８によってフック構造３４にクランプされるときに、接続デバイス１０によって張力下で保持される。
【００８５】
所望の位置に既に設置されていてもよい第２の細長い物品１４は、以下のように接続デバイス１０に固定される。フック構造３４は、第２の細長い物品１４が間隙４８を介してフック部材３６内に収容されるように、第２の細長い物品１４の上に配置される。
【００８６】
次いで、可動部材３８は、遠位端領域５０がフック部材３６間の領域で第２の細長い物品１４を係合するまで、ホルダ４６を通してねじ込まれる。次いで、可動部材３８を第２の細長い物品１４上に締め付け、第２の細長い物品１４を押してフック構造３４と緊密に係合させる。したがって、第２の細長い物品１４は、接続デバイス１０にクランプされる。
【００８７】
第１および第２の細長い物品１２、１４は、互いに対して横断方向であるそれぞれの向きで互いに接続される。示される実施形態では、第１および第２の細長い物品１４は、約９０度で互いに接続される。
【００８８】
したがって、ワイヤまたはケーブルのような第１および第２の細長い物品１４を互いに対して横断方向の向きで互いに接続するための接続デバイス１０が説明される。接続デバイス１０は、使用が迅速かつ簡単であり、第１および第２の細長い物品１４が互いにしっかりとかつ効果的に接続されることを可能にする。
【００８９】
本発明の範囲から逸脱することなく、さまざまな修正を行うことができる。例えば、一対のフック部材３６は、本体２０にわたって伸長する単一のフック部材によって置き換えられてもよい。
【００９０】
一般に６０で示される別の接続デバイスが図７〜１２に示される。接続デバイス６０は、接続デバイス１０の特徴を備え、このような特徴は、図１〜図６と同じ参照番号で図７〜図１２に示されている。
【００９１】
接続デバイス６０の第１のクランプ装置１６は、通路が付勢部材と第２のクランプ装置との間にあるように配置される。図１２に示すように、通路２８は、付勢部材２４と第２のクランプ装置１８との間に配置される。付勢部材２４は、本体２０の前方領域２０Ａから、本体２０の後方領域２０Ｂにおけるクランプ部材２２まで伸長する。
【００９２】
この構成では、通路２８は、第２のクランプ装置１８により近く、説明する実施形態では、第２のクランプ装置１８は、第１の細長い物品１２と第２の細長い物品１４との位置合わせを改善し、本体２０の回転を防止するのに役立つ。本体２０のこのような回転は、第１の細長い物品１２と第２の細長い物品１４との間の距離が大きいときに生じるかもしれない。
【００９３】
図７〜図１２に示される接続デバイス６０は、本体２０への負荷を低減し、それによって、より少ない材料が必要とされるので、接続デバイス６０がより軽量になることを可能にする。加えて、本体２０が傾く程度が減少する。
【００９４】
フック部材３６は、互いに並んで配置され、互いに隣接して連続的に伸長し、図７〜図１２に示す接続デバイス６０では、ウェブ部分３７は不要である。
【００９５】
接続デバイス６０の突出部３３Ａは、接続デバイス１０の突出部３３Ａよりも長く、それによって、張力ツール（図示せず）との相互作用を改善する。
【００９６】
接続デバイス６０は、本体２０によって保持されるねじ切りナットの形態の係留締結部材を含む。接続デバイス６０において、ねじ切りナットは、それを通して可動部材３８を収容する。これにより、可動部材３８がねじ切りナットによって収容されるとき、可動部材３８がホルダ４６に保持される。
【００９７】
このようにして、鋼線の撚り合わせおよび結束に関係付けられた時間および困難さを低減し、それによって、手の負傷の危険性を低減し、一貫した高品質の張力接合を可能にする接続デバイス１０、６０が説明される。Ｕボルト、ターンバックル、シンブル、またはラチェットストレーナの組合せのような代替形態と比較するとき、接続デバイス１０、６０は、設置がより迅速かつより安価であり（労働コストを節約する）、輸送がより軽量かつより小さく（輸送コストを節約する）、１つに接合し張力をかける単一コンポーネントシステムとして設置がより容易である。接続デバイス１０、６０は、異なるサイズおよび直径の第２の細長い物品１４と共に使用することができる。
【図１】
2021534352.tif 000003
【図２】
2021534352.tif 000004
【図３】
2021534352.tif 000005
【図４】
2021534352.tif 000006
【図５】
2021534352.tif 000007
【図６】
2021534352.tif 000008
【図７】
2021534352.tif 000009
【図８】
2021534352.tif 000010
【図９】
2021534352.tif 000011
【図１０】
2021534352.tif 000012
【図１１】
2021534352.tif 000013
【図１２】
2021534352.tif 000014
【国際調査報告】
2021534352.tif 000015
2021534352.tif 000016